(57)【要約】【課題】換気装置の本体と端部材を容易に組立可能であると共に、換気装置の本体が連結される框に直接突き合わされるようにして気密性及び強度を向上させることのできる換気装置及びそれを有するサッシを提供する。【解決手段】サッシの障子２を構成する框３に室内外に渡る通風路２０を形成してなる装置本体２１を備え、装置本体２１は少なくとも室外側に配置される室外部材２３と、室外部材２３に対してスライド係合されて室内側に配置される室内部材２２とからなり、室内部材２２と室外部材２３は、両端部に設けられる端部材６０により挟持固定され、端部材６０は室内部材２２と室外部材２３のうち一方の端面を保持して挟持する保持部６１と、室内部材２２と室外部材２３のうち他方に対して弾性係合する弾性固定部６３を有してなる。【選択図】図６
2010261276.tif 000002
【特許請求の範囲】
【請求項１】
サッシの障子を構成する框に室内外に渡る通風路を形成してなる装置本体を備え、該装置本体は少なくとも室外側に配置される室外部材と、該室外部材に対してスライド係合されて室内側に配置される室内部材とからなる換気装置において、
前記室内部材と室外部材は、両端部に設けられる端部材により挟持固定され、該端部材は前記室内部材と室外部材のうち一方の端面を保持して挟持する保持部と、前記室内部材と室外部材のうち他方に対して弾性係合する弾性固定部を有してなることを特徴とする換気装置。
【請求項２】
前記室内部材と室外部材のうち一方は、両端面がそれぞれ前記端部材の保持部に隣接して被覆され、前記室内部材と室外部材のうち他方は、両端面がそれぞれ露出し、前記端部材は前記室内部材と室外部材により形成される中空部に対し端面から挿入される挿入部を有すると共に、該挿入部に前記弾性固定部が形成されることを特徴とする請求項１記載の換気装置。
【請求項３】
前記室内部材と室外部材のうち他方は、室内または室外面から前記室内部材と室外部材のうち一方に向かって伸びる見込面部を備え、該見込面部の端面近傍に前記固定部を係合させる係合孔が形成されることを特徴とする請求項２記載の換気装置。
【請求項４】
前記端部材は前記室内部材を挟持すると共に、前記室外部材に弾性係合し、前記端部材に挟持される室内部材は、前記室外部材とスライド係合する金属部と、該金属部の室内側に配設される樹脂部とからなり、前記端部材の保持部は前記室内部材の金属部と樹脂部を挟持することを特徴とする請求項１〜３のいずれか１項に記載の換気装置。
【請求項５】
枠体内に障子を納めてなるサッシにおいて、
前記障子は框体内にパネル体を納めてなり、前記框体のうち一辺を構成する框を請求項１〜４のいずれか１項に記載の換気装置としたことを特徴とするサッシ。
【発明の詳細な説明】
【技術分野】
【０００１】
本発明は、サッシの障子を構成する框に通風路を設けた換気装置及びそれを有するサッシに関し、特に内外少なくとも二部材で構成し両端部に設ける端部材で各部材を挟持固定してなる換気装置及びそれを有するサッシに関する。
【背景技術】
【０００２】
サッシに設けられる障子において、室内外の換気をなすことができるようにしたものが知られている。このために、障子を構成する框の一つを、室内外に渡る通風路を形成すると共に、框内部に揺動自在な作動板を設け、この作動板を揺動させることで通風路を開閉させる換気装置として構成する。
【０００３】
換気装置は、本体が内外二部材で構成されており、室内部材と室外部材はスライド係合することによって連結される。また、両端部には端部材が設けられ、室内部材と室外部材に対してビス止めされることで、これらを挟持固定する。このように内外二部材で本体が構成された換気装置としては、例えば特許文献１に挙げるようなものがある。
【先行技術文献】
【特許文献】
【０００４】
【特許文献１】特開２００５−２６４４２５号公報
【発明の概要】
【発明が解決しようとする課題】
【０００５】
従来の換気装置においては、端部材が室内外部材の両端面に隣接して、該両端面を被覆するようにしていたため、室内外部材に設けられるタイト材が両端部には設けられず、直交する框との間でタイト材が分断されることとなっていた。このため、気密性を十分に確保できないことがあった。また、室内外部材が端部材を介して直交する框と連結されるため、框体の連結強度を大きくすることができなかった。さらには、端部材が室内外部材に対してそれぞれビス止め固定される構造となっていたため、端部材と室内外部材の組立に手間がかかることともなっていた。
【０００６】
本発明は前記課題を鑑みてなされたものであり、換気装置の本体と端部材を容易に組立可能であると共に、換気装置の本体が連結される框に直接突き合わされるようにして気密性及び強度を向上させることのできる換気装置及びそれを有するサッシを提供することを目的とする。
【課題を解決するための手段】
【０００７】
前記課題を解決するため、本発明に係る換気装置は、サッシの障子を構成する框に室内外に渡る通風路を形成してなる装置本体を備え、該装置本体は少なくとも室外側に配置される室外部材と、該室外部材に対してスライド係合されて室内側に配置される室内部材とからなる換気装置において、
前記室内部材と室外部材は、両端部に設けられる端部材により挟持固定され、該端部材は前記室内部材と室外部材のうち一方の端面を保持して挟持する保持部と、前記室内部材と室外部材のうち他方に対して弾性係合する弾性固定部を有してなることを特徴として構成されている。
【０００８】
また、本発明に係る換気装置は、前記室内部材と室外部材のうち一方は、両端面がそれぞれ前記端部材の保持部に隣接して被覆され、前記室内部材と室外部材のうち他方は、両端面がそれぞれ露出し、前記端部材は前記室内部材と室外部材により形成される中空部に対し端面から挿入される挿入部を有すると共に、該挿入部に前記弾性固定部が形成されることを特徴として構成されている。
【０００９】
さらに、本発明に係る換気装置は、前記室内部材と室外部材のうち他方は、室内または室外面から前記室内部材と室外部材のうち一方に向かって伸びる見込面部を備え、該見込面部の端面近傍に前記固定部を係合させる係合孔が形成されることを特徴として構成されている。
【００１０】
さらにまた、本発明に係る換気装置は、前記端部材は前記室内部材を挟持すると共に、前記室外部材に弾性係合し、前記端部材に挟持される室内部材は、前記室外部材とスライド係合する金属部と、該金属部の室内側に配設される樹脂部とからなり、前記端部材の保持部は前記室内部材の金属部と樹脂部を挟持することを特徴として構成されている。
【００１１】
そして、本発明に係るサッシは、枠体内に障子を納めてなるサッシにおいて、
前記障子は框体内にパネル体を納めてなり、前記框体のうち一辺を構成する框を請求項１〜４のいずれか１項に記載の換気装置としたことを特徴として構成されている。
【発明の効果】
【００１２】
本発明に係る換気装置によれば、室内部材と室外部材は、両端部に設けられる端部材により挟持固定され、端部材は室内部材と室外部材のうち一方の端面を保持して挟持する保持部と、室内部材と室外部材のうち他方に対して弾性係合する弾性固定部を有してなることにより、室内部材と室外部材を端部材によりビス等を用いることなく一体化することができるので、部品点数を削減すると共に組立を容易にすることができる。
【００１３】
また、本発明に係る換気装置によれば、室内部材と室外部材のうち一方は、両端面がそれぞれ端部材の保持部に隣接して被覆され、室内部材と室外部材のうち他方は、両端面がそれぞれ露出し、端部材は室内部材と室外部材により形成される中空部に対し端面から挿入される挿入部を有すると共に、挿入部に弾性固定部が形成されることにより、少なくとも室内部材と室外部材のいずれかは、連結される框に対して直接突き合わされるようにすることができるので、連結強度を大きくすることができると共に、気密材を端部まで連続的に設けることができて、気密性を高くすることができる。
【００１４】
さらに、本発明に係る換気装置によれば、室内部材と室外部材のうち他方は、室内または室外面から室内部材と室外部材のうち一方に向かって伸びる見込面部を備え、見込面部の端面近傍に固定部を係合させる係合孔が形成されることにより、挿入部を中空部に挿入するだけで、固定部が係合孔に弾性係合されるので、端部材の取付を容易にすることができる。
【００１５】
さらにまた、本発明に係る換気装置によれば、端部材は室内部材を挟持すると共に、室外部材に弾性係合し、端部材に挟持される室内部材は、室外部材とスライド係合する金属部と、金属部の室内側に配設される樹脂部とからなり、端部材の保持部は室内部材の金属部と樹脂部を挟持することにより、換気装置の断熱性及び意匠性を高めつつ、端部材による室内外部材の固定を確実になすことができると共に、端面が露出する室外部材は金属材により構成することで、框の連結強度も充分に確保することができる。
【図面の簡単な説明】
【００１６】
【図１】本実施形態におけるサッシの室内側から見た正面図である。
【図２】換気装置の縦断面図である。
【図３】室内部材と室外部材の分解斜視図である。
【図４】スライド係合された室内部材と室外部材に対する端部材の分解斜視図である。
【図５】図４において手前側に配置された端部材の斜視図である。
【図６】換気装置の斜視図である。
【図７】換気装置と召合わせ側の縦框が連結された状態の拡大斜視図である。
【図８】換気装置と枠体側の縦框が連結された状態の拡大斜視図である。
【図９】サッシの縦断面図である。
【図１０】サッシの横断面図である。
【発明を実施するための形態】
【００１７】
本発明の実施形態について図面に沿って詳細に説明する。本実施形態では、換気装置を有するサッシについて説明する。図１には、本実施形態におけるサッシの室内側から見た正面図を示している。この図に示すように、本実施形態のサッシは、方形状に枠組みされてなる枠体１内に２枚の障子２を引き違い状に納めて構成されている。
【００１８】
障子２は、方形状に框組みされてなる框体３内にガラス板からなるパネル体４を納めて構成されている。框体３の上辺を構成する框には、室内外を連通させることのできる通風路２０を備えた換気装置１０が用いられる。また、框体３の下辺には下框１１が、縦辺には縦框１２が、それぞれ設けられる。
【００１９】
換気装置１０は、室内側面には通風路２０を構成する多数のスリット３１ｂを備えたフィルタ体２４と、通風路２０の開閉状態を切替える操作部２６が露出している。以下、換気装置１０の構成についてより詳細に説明する。図２には、換気装置１０の縦断面図を示している。
【００２０】
図２に示すように、換気装置１０は概ね框の形状に形成された装置本体２１を有し、装置本体２１には室内外に連通する前述の通風路２０が形成されると共に、通風路２０の室内側端部となる装置本体２１の室内側面には、フィルタ３０をフィルタカバー３１で保持してなるフィルタ体２４が設けられる。
【００２１】
装置本体２１は、室内側に配置される室内部材２２と、室内部材２２とスライド係合して室外側に配置される室外部材２３の二部材で構成されている。これら二部材が組み立てられた状態で、装置本体２１の中央部には断面中空状の中空部２７が形成され、通風路２０を構成する。
【００２２】
装置本体２１のうち室内部材２２は、室外部材２３とスライド係合する金属部２２ａと、金属部２２ａの室内側に配設される樹脂部２２ｂによって構成されている。これによって、換気装置１０の断熱性及び意匠性の向上を図っている。金属部２２ａは、アルミの押出型材からなり、樹脂部２２ｂは合成樹脂を成形してなるものである。
【００２３】
中空部２７の室内側面を構成する室内部材２２には、フィルタ体２４のフィルタカバー３１に形成されるスリット３１ｂと連通する略同形の室内側スリット２７ａが形成されている。室内側スリット２７ａは、室内部材２２の金属部２２ａと樹脂部２２ｂを貫通するように形成されている。また、中空部２７の室外側面を構成する室外部材２３にも、室外側スリット２７ｂが形成されている。
【００２４】
このように、室内側から順に、フィルタ体２４のスリット３１ｂと、室内部材２２の室内側スリット２７ａ、中空部２７、及び室外部材２３の室外側スリット２７ｂによって、換気装置１０の室内外に渡る通風路２０が構成されている。
【００２５】
中空部２７の室内側端部には、上端部を中心に室内外方向に揺動自在な作動板２８が設けられている。作動板２８は、装置本体２１の長手方向に沿う長尺状に形成されてなり、操作部２５と連係して装置本体２１の長手方向にスライド自在であると共に、該スライドに伴って室内外方向に揺動する。
【００２６】
図２において実線で示す状態において、作動板２８は通風路２０の室内側スリット２７ａを閉塞している。一方、図２において破線で示す状態において、作動板２８は通風路２０を開放している。このように作動板２８が室内外に揺動することにより、通風路２０の開放状態と閉塞状態を切替えることができる。
【００２７】
中空部２７の室内側上端部を構成する室内部材２２の金属部２２ａには、作動板２８を揺動自在に保持する支軸部２７ｃが形成されている。作動板２８の揺動中心となる上端部は、断面略円形状の軸部２８ａとされており、これに対応して支軸部２７ｃは軸部２８ａを保持する断面略逆Ｕ字型をなすように形成されている。
【００２８】
この支軸部２７ｃは、作動板２８の可動範囲側が開口するように下方開放状であると共に、その開放方向が鉛直下方よりも室外側寄りを向くように傾斜状に形成されている。これによって、支軸部２７ｃに保持された作動板２８が、室外側により大きく開放するように揺動範囲を設定することができる。
【００２９】
また、装置本体２１を構成する室外部材２３には、縦框１２と連結するためのビス孔部５０と第２ビス孔部５１が、長手方向に沿って形成されている。
【００３０】
次に、換気装置１０の組立構造について説明する。図２に示されているように、室内部材２２は、室外部材２３側に向かって伸び中空部２７の下面を構成する下側見込面部２２ｅを備え、その室外端部には下側室内係合部２２ｆが形成されている。また、室内部材２２の上部には、上側室内係合部２２ｇが形成されている。
【００３１】
室外部材２３は、室内部材２２側に向かって伸び中空部２７の上面を構成する上側見込面部２３ａを備え、その先端部には上側室外係合部２３ｂが形成されており、上側室内係合部２２ｇは室内部材２２の上側室内係合部２２ｇに対して係合されている。また、室外部材２３の下部には、下側室外係合部２３ｃが形成されており、下側室外係合部２３ｃは室内部材２２の下側室内係合部２２ｆに対して係合されている。
【００３２】
これらの室内部材２２と室外部材２３の係合は、スライド係合によってなされる。図３には、室内部材２２と室外部材２３の分解斜視図を示している。この図に示すように、室内部材２２と室外部材２３は、長手方向に互いにスライドされることによって、上側室内係合部２２ｇと上側室外係合部２３ｂが係合すると共に、下側室内係合部２２ｆと下側室外係合部２３ｃが係合する。
【００３３】
スライド係合しただけでは、室内部材２２と室外部材２３は互いにスライド自在な状態であって、完全に固定された状態とはならないため、両者をスライド不能とすることが必要である。このために、スライド係合された室内部材２２と室外部材２３の両端部には、それぞれ端部材６０が設けられる。
【００３４】
図４には、スライド係合された室内部材２２と室外部材２３に対する端部材６０の分解斜視図を示している。この図に示すように、スライド係合された室内部材２２と室外部材２３の両端面に対して、それぞれ端部材６０が取付けられる。
【００３５】
図５には、図４において手前側に配置された端部材６０の斜視図を示している。この図は、図４に示された状態とは反対側、すなわち室内部材２２と室外部材２３を挟持する側から見た端部材６０の斜視図とされている。端部材６０は、室内部材２２を両端から挟持する保持部６１と、端面から中空部２７に対して挿入される挿入部６２とを有して構成されている。
【００３６】
端部材６０の保持部６１は、室内部材２２の端面に当接する当接面部６１ａを備え、室内部材２２を構成する金属部２２ａと樹脂部２２ｂの両方の端面を被覆する。一方、挿入部６２は室内部材２２と室外部材２３により形成される中空部２７の形状に略適合する形状を有してなり、上面には弾性係合可能な弾性固定部６３が形成されている。
【００３７】
図４に示されているように、室外部材２３の上側見込面部２３ａには、端部近傍位置に貫通孔からなる係合孔２３ｄが形成されている。端部材６０の弾性固定部６３は、挿入部６２が中空部２７に挿入されることに伴い、係合孔２３ｄに対して弾性的に係合し、端部材６０が室外部材２３に対して固定される。
【００３８】
図６には、換気装置１０の斜視図を示している。この図に示すように、端部材６０を装置本体２１の両端に取付けることにより、室内部材２２の両端部には端部材６０の保持部６１が隣接し、室外部材２３は端部材６０が取付けられた状態でも両端面が露出する。また、室外部材２３に形成されたビス孔部５０も両端面において露出する。なお、端部材６０の保持部６１は、室内部材２２を構成する金属部２２ａと樹脂部２２ｂのいずれも挟持する。
【００３９】
つまり、端部材６０は室内部材２２の両端面を挟持し、室外側に対しては挿入部６２が中空部２７に挿入され弾性固定部６３が室外部材２３の係合孔２３ｄに弾性係合することにより、室内部材２２と室外部材２３はスライド不能に固定される。また、端部材６０は室内部材２２に対しては端面を被覆する一方、室外部材２３の両端面は露出させる。これにより、室外部材２３の両端面は換気装置１０の両端面を構成することとなる。
【００４０】
室外部材２３には、上端部の長手方向に沿って気密材２３ｅが設けられている。この気密材２３ｅは、室外部材２３の長手方向全長に渡っており、換気装置１０の両端部まで設けられている。室外部材２３が換気装置１０の両端面を構成していることにより、このように気密材２３ｅを端部まで設けることができ、連結される縦框１２まで連続的な気密をなすことができ、気密性を高くすることができる。
【００４１】
図７には、換気装置１０と召合わせ側の縦框１２が連結された状態の連結部付近拡大斜視図を示している。この図に示すように、縦框１２は側面を換気装置１０の端面に突き合わせて連結がなされる。ここで、縦框１２には外周側の側面にビス用孔１２ａが上下２箇所に形成されており、これらビス用孔１２ａは、装置本体２１のビス孔部５０及び第２ビス孔部５１の位置に対応して配置されている。
【００４２】
換気装置１０を構成する室内部材２２は、端部材６０を介して縦框１２の側面と対向しているのに対し、換気装置１０を構成する室外部材２３の端面と縦框１２の側面は、直接突き合わされる。そして、ビス用孔１２ａから挿入されるビス（図示しない）は、装置本体２１のビス孔部５０と第２ビス孔部５１にそれぞれ螺合され、縦框１２と換気装置１０を連結する。
【００４３】
このように、室外部材２３の両端面が露出して換気装置１０の端面を構成していることにより、金属材からなる室外部材２３が縦框１２の側面に対して直接当接し、連結されるので、框体３の強度を大きくすることができる。なお、室外部材２３が突き合わされる縦框１２の室外側部分も、金属材により構成されている。
【００４４】
図８には、換気装置１０と枠体１側に配置される縦框１２が連結された状態の連結部付近拡大斜視図を示している。この図に示すように、枠体１側に配置される縦框１２には、上端位置にブロック状の振れ止め部材８０が設けられ、換気装置１０と縦框１２の連結部においてはその上端面が露出している。
【００４５】
振れ止め部材８０は、枠体１を構成する上枠１５に形成される上レール１５ａの外形状に略適合する振れ止め部８１を有し、障子２を移動させた際に上端部が室内外方向に振れることを防止するためのものである。
【００４６】
この振れ止め部材８０には、室外部材２３側の上端面に端部気密材８２が形成されていて、上枠１５の上レール１５ａに対して当接自在とされている。この端部気密材８２と室外部材２３の気密材２３ｅは、連続状とされる。前述のように、室外部材２３は端面が露出状となるため、その端部まで気密材２３ｅを設けることができ、それを振れ止め部材８０の端部気密材８２と連続させることができる。
【００４７】
換気装置１０と連結される枠体１側の縦框１２は、見付方向外側端部に長手方向に沿って設けられる気密材１２ｂを有しており、これが振れ止め部材８０の端部気密材８２と連続状となるようにされている。これにより、換気装置１０と枠体１側の縦框１２との連結部分において、換気装置１０の気密材２３ｅと振れ止め部材８０の端部気密材８２及び縦框１２の気密材１２ｂが、連続状となって連続的な気密を確保する。
【００４８】
換気装置１０と縦框１２の連結部分を含め、本実施形態のサッシでは内外の障子２の全周に渡って、気密材が連続状となるように構成している。図９にはサッシの縦断面図を、図１０にはサッシの横断面図を、それぞれ示している。これら各図に示すように、サッシを構成する枠体１は、上枠１５と下枠１６及び左右の縦枠１７、１７を方形状に枠組みして構成されている。
【００４９】
図９に示すように、上枠１５には内外の障子２上辺をそれぞれ長手方向に案内する上レール１５ａが内外２条形成され、下枠１６には内外の障子２下辺をそれぞれ長手方向に案内する下レール１６ａが内外２条形成される。内外の障子２の召合わせ部分のうち上端部分には上中央気密ブロック１５ｂが設けられ、内外の障子２の召合わせ部分のうち下端部分には下中央気密ブロック１６ｂが設けられている。
【００５０】
上中央気密ブロック１５ｂは、下面に多数のヒレを有するように形成されており、このヒレが内外の障子２の上面に当接することで、召合わせ部分上面における障子２と枠体１の間の気密性を確保するようにしている。また、下中央気密ブロック１６ｂは、上面に多数のヒレを有するように形成されており、このヒレが内外の障子２の下面に当接することで、召合わせ部分下面における障子２と枠体１の間の気密性を確保するようにしている。
【００５１】
障子２の上辺においては、換気装置１０の室外面上端部に気密材２３ｅが長手方向に沿って設けられ、上レール１５ａに当接することで、気密性を確保する。換気装置１０と枠体１側の縦框１２との連結部分については、図８で説明したような構造により、換気装置１０から縦框１２に渡って気密材が連続状となっている。また、換気装置１０の召合わせ側については、図７のように換気装置１０の端面に渡るまで気密材２３ｅが設けられており、この気密材２３ｅは上中央気密ブロック１５ｂと連続状となって、連続的な気密を確保する。
【００５２】
障子２の枠体１側の縦辺については、図１０に示すように縦框１２の気密材１２ｂが、枠体１に対して長手方向に沿って当接しており、これによって気密性を確保している。また、障子２の下辺については、図９に示すように下框１１の気密材１１ａが下レール１６ａに対して長手方向に沿って当接しており、これによって気密性を確保している。下框１１の気密材１１ａは、枠体１側の縦框１２に設けられる気密材１２ｂと連続状とされ、また召合わせ側については下中央気密ブロック１６ｂと連続状となって、連続的な気密を確保する。内外の障子２間の縦辺における気密性は、室外側の障子２の室内面に設けられる気密材１２ｃと、内外の障子２により構成される煙返し部１２ｄにより、確保される。
【００５３】
以上のような枠体１と障子２の間の気密ライン５は、図９及び図１０において網掛けで示した領域で示されており、障子２のコーナー部分を含む内外の障子２の全周に渡るように形成されている。これにより、気密性の向上はもちろんのこと、水密性及び遮音性についても良好なサッシとすることができる。
【００５４】
本実施形態では、換気装置１０と縦框１２の連結部分における気密材を、振れ止め部材８０に設けた端部気密材８２によって構成したが、振れ止め部材８０とは別に気密材を有した部材を設けて、換気装置１０と縦框１２の連結部分における気密材を構成するようにしてもよい。
【００５５】
また、本実施形態においては、スライド係合される室内部材２２と室外部材２３を、端部材６０によりスライド不能に固定することとしたが、両者をスライド不能とするための手段はこれに限られず、例えば室内部材２２と室外部材２３をカシメにより固定することで、両者をスライド不能とすることもできる。
【００５６】
さらに、本実施形態においては、端部材６０は室内部材２２を挟持し、室外部材２３に対して弾性係合することとしたが、逆に室外部材２３を挟持し、室内部材２２に対して弾性係合するように構成してもよい。
【００５７】
以上、本発明の実施形態について説明したが、本発明の適用は本実施形態には限られず、その技術的思想の範囲内において様々に適用されうるものである。
【符号の説明】
【００５８】
１    枠体
２    障子
３    框体
４    パネル体
１０    換気装置
１１    下框
１２    縦框
２０    通風路
２１    装置本体
２２    室内部材
２３    室外部材
２４    フィルタ体
２６    操作部
２７    中空部
２８    作動板
４５    揺動部材
６０    端部材
６１    保持部
６２    挿入部
６３    弾性固定部
【図１】
2010261276.tif 000003
【図２】
2010261276.tif 000004
【図３】
2010261276.tif 000005
【図４】
2010261276.tif 000006
【図５】
2010261276.tif 000007
【図６】
2010261276.tif 000008
【図７】
2010261276.tif 000009
【図８】
2010261276.tif 000010
【図９】
2010261276.tif 000011
【図１０】
2010261276.tif 000012